(57)【要約】      （修正有）【課題】吊上げ作業中でも容易に梁床部材の傾きや高さの微調整を行える吊構造建物の構築方法を提供する。【解決手段】水平部材１０を所定の高さに構築する工程と、地上において所定の階数の梁床部材４０を構築し、所定の階数の梁床部材を仮設の吊柱１２０により連結する工程とを行い、所定の階数の最上階を除く各階を適宜な順序で作業対象階として梁床部材昇降装置１３０により水平部材１０に反力をとりながら、所定の階数のうち最上階から作業対象階の直上階までの梁床部材４０を支持するとともに、所定の階数のうち最下階又は最下階から作業対象階までの梁床部材４０を支持した状態で、作業対象階の仮設の吊柱１２０を撤去する工程と、梁床部材昇降装置１３０により所定の階数のうちの最上階から作業対象階の直上階までの梁床部材４０を作業対象階の階高が所定の高さになるまで上昇させる工程と、作業対象階の本設の吊柱を構築する工程とを行う。【選択図】図３
2008280680.tif 000002
【特許請求の範囲】
【請求項１】
所定の階数範囲の各階の梁部材、梁床部材又は床部材（以下、梁部材等という）が、所定の高さに支持された主ビームから、当該梁部材等と同じ階及びこれより上階の本設の吊柱を介して吊下された構成を有する吊構造建物を構築する方法であって、
前記主ビームを所定の高さに支持されるように構築又は設置する主ビーム構築工程と、
地上において、前記所定の階数範囲の階の梁部材等を構築し、前記所定の階数範囲の階の梁部材等を前記本設の吊柱よりも短く、撤去可能な仮設の吊柱により連結する梁部材等連結工程と、を行い、
前記所定の階数範囲の最上階を除く少なくとも一部の階を適宜な順序で作業対象階として、
梁部材等昇降装置により前記主ビームに反力をとりながら、前記所定の階数範囲のうちの最上階から前記作業対象階の直上の階までの階の梁部材等を支持するとともに、前記所定の階数範囲のうちの最下階又は最下階から前記作業対象階までの階の梁部材等を支持した状態で、前記作業対象階の前記仮設の吊柱を撤去する仮設の吊柱撤去工程と、
前記梁部材等昇降装置により前記所定の階数範囲のうちの最上階から前記作業対象階の直上の階までの階の前記梁部材等を前記作業対象階の階高が所定の高さになるまで上昇させる梁部材等上昇工程と、
前記作業対象階の梁部材等を、前記作業対象階の直情の階の梁部材等に本設の吊柱により接続する吊柱接続工程と、を行うことを特徴とする吊構造建物の構築方法。
【請求項２】
請求項１記載の吊構造建物の構築方法であって、
前記梁部材等昇降装置により、前記所定の階数範囲のうちの最下階の梁部材等が所定の高さになるまで、前記所定の階数範囲の全ての階の梁部材等を上昇させる最下階上昇工程と、
前記所定の階数範囲のうちの最上階の本設の吊柱を構築する最上階吊柱構築工程と、をさらに行うことを特徴とする吊構造建物の構築方法。
【請求項３】
前記最下階上昇工程は、前記梁部材等連結工程の後段に行い、
前記所定の階数範囲の最下階から上方に向かって前記作業対象階とすることを特徴とする請求項２記載の吊構造建物の構築方法。
【請求項４】
前記主ビームは、前記梁部材等の周囲に立設された支持部材により所定の高さに支持されており、
前記所定の階数範囲内の各階の前記梁部材等と前記支持部材とは、連結部材を介して接続されており、
前記吊柱構築工程では、さらに、前記作業対象階の直上の階の梁部材等と、前記支持部材とを連結部材を介して接続することを特徴とする請求項３記載の吊構造建物の構築方法。
【請求項５】
前記梁部材等昇降装置は、前記所定の階数範囲のうちの最上階から前記作業対象階の直上の階までの何れかの階の梁部材等に下端が定着された吊り材と、
前記主ビームに取り付けられ、前記吊り材の上部を支持するとともに前記吊り材を昇降させることが可能な昇降機構とで構成され、
前記梁部材等上昇工程では、前記昇降機構が前記吊り材を上昇させることにより、前記作業対象階の直上の階から前記所定の階数範囲のうちの最上階までの階の梁部材等を上昇させることを特徴とする請求項１から４何れかに記載の吊構造建物の構築方法。
【請求項６】
前記梁部材等昇降装置は、前記主ビームに上端が定着された吊り材と、
前記所定の階数範囲のうちの最上階から前記作業対象階の直上の階までの何れかの階の梁部材等の下側に取り付けられ、前記吊り材を支持するとともに、前記吊り材に沿って昇降可能な昇降機構と、で構成され、
前記梁部材等上昇工程では、前記昇降機構が前記吊り材に沿って上昇することにより、前記所定の階数範囲のうちの最上階から前記作業対象階の直上の階までの階の梁部材等を上昇させることを特徴とする請求項１から４何れかに記載の吊構造建物の構築方法。
【請求項７】
前記仮設の吊柱は、内部に前記吊り材を挿通可能であり、
前記梁部材等の前記仮設の吊柱が接続された部位には貫通孔が設けられており、
前記昇降装置設置工程では、前記吊り材を前記吊柱の内部及び前記梁部材等の貫通孔を貫通するように前記梁部材等昇降装置を設置することを特徴とする請求項５又は６記載の吊構造建物の構築方法。
【請求項８】
前記昇降装置設置工程では、前記梁部材等の前記仮設の吊柱の接続された位置以外の部位に鉛直方向に並ぶように貫通孔を設け、前記吊り材を前記貫通孔を挿通するように前記吊り材を設置することを特徴とする請求項５又は６記載の吊構造建物の構築方法。
【請求項９】
前記昇降装置設置工程では、
前記梁部材等昇降装置を、前記主ビームに反力を取りながら、前記所定の階数範囲の最上階の梁部材等を昇降させるように設置することを特徴とする請求項１から８何れかに記載の吊構造建物の構築方法。
【請求項１０】
請求項１から９何れかに記載の方法により構築されたことを特徴とする吊構造建物。
【発明の詳細な説明】
【技術分野】
【０００１】
本発明は、メガフレームに複数の梁床部材が吊持されて構成されてなる吊構造建物の構築方法に関する。
【背景技術】
【０００２】
従来より、複数の垂直部材の間に水平部材が架設されてなるメガフレームと、各階の床を構成する梁床部材と、各階の梁床部材の間及び最上階の梁床部材とメガフレームとの間を連結する吊柱とにより構成された吊構造建物が構築されている。
【０００３】
このような吊構造建物の構築方法として、例えば、特許文献１には、メガフレームを構築した後、地上において各階の梁床部材を積層した状態で成形し、これらの梁床部材をロッドにより連結し、水平部材の上に設置された昇降装置によりロッドを引き上げ、ロッドの上端をメガフレームを構成する水平部材に固定することにより、吊構造建物を構築する方法が記載されている。
【特許文献１】特許２７１７１４２号公報
【発明の開示】
【発明が解決しようとする課題】
【０００４】
しかしながら、上記の方法では、全ての梁床部材をロッドにより連結した状態で吊上げ作業を行うため、一度吊上げ作業を開始してしまうと、梁床部材が傾きを調整したり、梁床部材の高さを微調整したりすることができない。このため、梁床部材の傾きの調整や高さの微調整を行うためには、吊上げ作業を中止し、全ての梁床部材を地上に下ろして、ロッドを付け替え、再び吊上げ作業を行わなければならない。
【０００５】
本発明は、上記の問題に鑑みなされたものであり、その目的は、吊上げ作業中でも容易に梁床部材の傾きの調整や高さの微調整を行うことのできる吊構造建物の構築方法を提供することである。
【課題を解決するための手段】
【０００６】
本発明の吊構造建物の構築方法は、所定の階数範囲の各階の梁部材、梁床部材又は床部材（以下、梁部材等という）が、所定の高さに支持された主ビームから、当該梁部材等と同じ階及びこれより上階の本設の吊柱を介して吊下された構成を有する吊構造建物を構築する方法であって、前記主ビームを所定の高さに支持されるように構築又は設置する主ビーム構築工程と、地上において、前記所定の階数範囲の階の梁部材等を構築し、前記所定の階数範囲の階の梁部材等を前記本設の吊柱よりも短く、撤去可能な仮設の吊柱により連結する梁部材等連結工程と、を行い、前記所定の階数範囲の最上階を除く少なくとも一部の階を適宜な順序で作業対象階として、梁部材等昇降装置により前記主ビームに反力をとりながら、前記所定の階数範囲のうちの最上階から前記作業対象階の直上の階までの階の梁部材等を支持するとともに、前記所定の階数範囲のうちの最下階又は最下階から前記作業対象階までの階の梁部材等を支持した状態で、前記作業対象階の前記仮設の吊柱を撤去する仮設の吊柱撤去工程と、前記梁部材等昇降装置により前記所定の階数範囲のうちの最上階から前記作業対象階の直上の階までの階の前記梁部材等を前記作業対象階の階高が所定の高さになるまで上昇させる梁部材等上昇工程と、前記作業対象階の梁部材等を、前記作業対象階の直情の階の梁部材等に本設の吊柱により接続する吊柱接続工程と、を行うことを特徴とする。なお、前記少なくとも一部の階以外の階については、本発明の方法に限らず、適宜な方法により構築すればよい。
【０００７】
ここで、上記の吊構造建物の構築方法において前記梁部材等昇降装置により、前記所定の階数範囲のうちの最下階の梁部材等が所定の高さになるまで、前記所定の階数範囲の全ての階の梁部材等を上昇させる最下階上昇工程と、前記所定の階数範囲のうちの最上階の本設の吊柱を構築する最上階吊柱構築工程と、をさらに行ってもよい。
【０００８】
また、前記最下階上昇工程は、前記梁部材等連結工程の後段に行い、前記所定の階数範囲の最下階から上方に向かって前記作業対象階としてもよい。
【０００９】
また、前記主ビームは、前記梁部材等の周囲に立設された支持部材により所定の高さに支持されており、前記所定の階数範囲内の各階の前記梁部材等と前記支持部材とは、連結部材を介して接続されており、前記吊柱構築工程では、さらに、前記作業対象階の直上の階の梁部材等と、前記支持部材とを連結部材を介して接続してもよい。
【００１０】
また、前記梁部材等昇降装置は、前記所定の階数範囲のうちの最上階から前記作業対象階の直上の階までの何れかの階の梁部材等に下端が定着された吊り材と、前記主ビームに取り付けられ、前記吊り材の上部を支持するとともに前記吊り材を昇降させることが可能な昇降機構とで構成され、前記梁部材等上昇工程では、前記昇降機構が前記吊り材を上昇させることにより、前記作業対象階の直上の階から前記所定の階数範囲のうちの最上階までの階の梁部材等を上昇させてもよい。
【００１１】
また、前記梁部材等昇降装置は、前記主ビームに上端が定着された吊り材と、前記所定の階数範囲のうちの最上階から前記作業対象階の直上の階までの何れかの階の梁部材等の下側に取り付けられ、前記吊り材を支持するとともに、前記吊り材に沿って昇降可能な昇降機構と、で構成され、前記梁部材等上昇工程では、前記昇降機構が前記吊り材に沿って上昇することにより、前記所定の階数範囲のうちの最上階から前記作業対象階の直上の階までの階の梁部材等を上昇させさせてもよい。
【００１２】
また、前記仮設の吊柱は、内部に前記吊り材を挿通可能であり、前記梁部材等の前記仮設の吊柱が接続された部位には貫通孔が設けられており、前記昇降装置設置工程では、前記吊り材を前記吊柱の内部及び前記梁部材等の貫通孔を貫通するように前記梁部材等昇降装置を設置してもよい。
【００１３】
また、前記昇降装置設置工程では、前記梁部材等の前記仮設の吊柱の接続された位置以外の部位に鉛直方向に並ぶように貫通孔を設け、前記吊り材を前記貫通孔を挿通するように前記吊り材を設置してもよい。
【００１４】
また、前記昇降装置設置工程では、前記昇降装置を、前記主ビームに反力を取りながら、前記所定の階数範囲の最上階の梁部材等を昇降させるように設置してもよい。
また、本発明の吊構造建物は、上記の方法により構築されたことを特徴とする。
【発明の効果】
【００１５】
本発明によれば、昇降装置により作業対象階の直上の階の梁床部材の高さ及び吊柱の長さを適宜調整することにより、リフトアップ作業中であっても、全ての階の梁床部材を地上に降ろすことなく、階高の微調整や梁床部材の傾きを調整することができる。
【発明を実施するための最良の形態】
【００１６】
以下、本発明の吊構造の建物の構築方法の一実施形態を図面を参照しながら説明する。
図１は、本実施形態の構築方法により構築された吊構造建物１００の構成を示す正面図である。同図に示すように、本実施形態の吊構造建物１００は、複数の垂直部材（特許請求の範囲における支持部材に相当）２０及びこれらの垂直部材２０の間に架設された水平部材（特許請求の範囲における主ビームに相当）１０からなるメガフレーム３０と、２〜８階の床を構成する床スラブ及び梁が一体となった梁床部材４０と、水平部材１０と最上階（８階）の梁床部材４０の間及び各階の梁床部材４０の間を連結する吊柱５０と、垂直部材２０と各階の梁床部材４０とを連結する連結部材６０と、を備える。
【００１７】
図２は、吊柱５０を構成する部材を示す斜視図である。同図に示すように、吊柱５０は、軸方向に分割された一対の鋼管１５２をボルト接合することにより構成されている。これにより、後述するように梁床部材昇降装置１３０のロッド１３２を挿通可能であるとともに、組立及び撤去を容易に行うことができる。
【００１８】
図１に戻り、連結部材６０としては、梁床部材４０をメガフレーム３０の垂直部材２０に対して剛に接続できるように、剛性部材を用いる構成としてもよいし、ばね部材やダンパーなどを用いる構成としてもよい。
【００１９】
以下、このような吊構造建物１００の構築方法を説明する。
図３〜図７は、本実施形態の吊構造の建物の構築方法を説明するための図である。
図３に示すように、まず、ＳＴＥＰ１において、メガフレーム３０を構成する垂直部材２０を構築し、この垂直部材２０の上部に反力をとるように鋼製の節つきのロッド１１２及びジャッキ１１１からなる水平部材昇降装置１１０を設置する。すなわち、垂直部材２０の上端にジャッキ１１１を設置し、このジャッキ１１１にロッド１１２の上部を取付ける。なお、垂直部材２０は、予め、構築されたものを搬入し、設置してもよい。
【００２０】
なお、このようなジャッキ１１１としては、例えば、ロッド１１２に沿って昇降可能なシャックル付きのジャッキ（例えば、ＪＦＥシビル株式会社製）などが適している。また、ロッド１１２に代えて、鋼線や鋼材などを用いることもできる。
【００２１】
次に、ＳＴＥＰ２において、地上に設置されたベント１４０上で、メガフレーム３０を構成する水平部材１０を構築する。なお、この水平部材１０を構築する工程は、ＳＴＥＰ１における水平部材昇降装置１１０を設置する工程の前に行ってもよい。また、水平部材１０は、予め、構築されたものを搬入してもよい。そして、ジャッキ１１１より下方に延びるロッド１１２の下部に、定着部１１３により水平部材１０を定着させる。
【００２２】
次に、ＳＴＥＰ３において、水平部材１０を水平部材昇降装置１１０により吊上げ、水平部材１０を垂直部材２０と接続する。
次に、ＳＴＥＰ４において、水平部材昇降装置１１０を解体し、撤去する。
【００２３】
次に、ＳＴＥＰ５において、地上のベント１４０上において、２〜８階の梁床部材を構築し、これらの梁床部材４０の間を仮設の吊柱１２０により連結する。なお、仮設の吊柱１２０は、本設の吊柱５０と同様に、図２に示すような長さ方向に複数に分割された鋼管１５２からなり、内部にロッド１３２を挿通することができ、また、容易に組立て及び撤去することができる。また、２〜８階の梁床部材４０の仮設の吊柱１２０が接続される位置にも、ロッド１３２を貫通することができるように開口を設けておく。
【００２４】
そして、ジャッキ１３１と、ロッド１３２とで構成された梁床部材昇降装置１３０を、水平部材１０に反力をとりながら、２階の梁床部材４０を昇降可能なように設置する。すなわち、ロッド１３２を２〜８階の梁床部材４０の開口及び仮設の吊柱１２０の内部に挿通させ、ロッド１３２の上端部に水平部材１０に支持されるようにジャッキ１３１を取り付け、ロッド１３２の下端部を定着部１３３により２階の梁床部材４０を下方から支持するように取付ける。
【００２５】
次に、ＳＴＥＰ６において、梁床部材昇降装置１３０により、２〜８階の梁床部材４０を、２階の梁床部材４０が所定の高さに到達するまで上昇させる。
次に、図４のＳＴＥＰ７において、地上部のベント１４０により２階の梁床部材４０を下方より支持することができるように、ベント１４０の高さを調整する。そして、２階の梁床部材４０と垂直部材２０とを連結部材６０により接続し、２階の梁床部材４０の下方に取付けられた定着部１３３を取り外す。
【００２６】
次に、ＳＴＥＰ８において、３階の梁床部材４０を梁床部材昇降装置１３０により支持することができるように、３階の梁床部材４０の下方に定着部１３３を取付ける。この際、２階の梁床部材４０は、ベント１４０により支持されるため、落下することはない。そして、２階の仮設の吊柱１２０を撤去する。
【００２７】
次に、ＳＴＥＰ９において、梁床部材昇降装置１３０により、３〜８階の梁床部材４０を、３階の梁床部材４０が３階のレベルに到達する（すなわち、２階の階高が所定の高さになる）まで上昇させる。
【００２８】
次に、ＳＴＥＰ１０において、３階の梁床部材４０を支持するように、２階と３階の梁床部材４０の間に仮設の支持部材１５０を設置する。そして、３階の梁床部材４０と垂直部材２０とを連結部材６０により接続し、３階の梁床部材４０の下方に取り付けられた定着部１３３を取り外す。この際、３階の梁床部材４０は、仮設の支持部材１５０により支持されるため、落下することはない。
【００２９】
次に、ＳＴＥＰ１１において、４階の梁床部材４０を梁床部材昇降装置１３０により支持することができるように、４階の梁床部材４０の下方に定着部１３３を取付ける。そして、２階の本設の吊柱５０を構築し、２階の仮設の支持部材１５０を撤去する。また、３階の仮設の吊柱を撤去する。
【００３０】
次に、ＳＴＥＰ１２において、梁床部材昇降装置１３０により、４〜８階の梁床部材４０を、４階の梁床部材４０が４階のレベルに到達する（すなわち、３階の階高が所定の高さになる）まで上昇させる。
【００３１】
次に、図５のＳＴＥＰ１３において、４階の梁床部材４０を支持するように、３階と４階の梁床部材４０の間に仮設の支持部材１５０を設置する。そして、４階の梁床部材４０と垂直部材２０とを連結部材６０により接続し、４階の梁床部材４０の下方に取り付けられた定着部１３３を取り外す。この際、４階の梁床部材４０は、仮設の支持部材１５０により支持されるため、落下することはない。
【００３２】
以下、図５のＳＴＥＰ１４〜図６のＳＴＥＰ２２において、図４のＳＴＥＰ１１〜図５のＳＴＥＰ１３と同様に、４階から６階の順序で各階を作業対象階として、作業対象階の上階の梁床部材４０を梁床部材昇降装置１３０により支持することができるように、作業対象階の上階の梁床部材４０の下方に定着部１３３を取付け、作業対象階の下階の本設の吊柱５０を構築し、作業対象階の下階の仮設の支持部材１５０を撤去し、作業対象階の仮設の吊柱１２０を撤去し、作業対象階の上階から最上階までの梁床部材４０を作業対象階の階高が所定の高さになるまで上昇させ、作業対象階の下階に仮設の支持部材を設置し、作業対象階の連結部材を取り付け、作業対象階の梁床部材４０の下方に取り付けられた定着部１３３を取り外す工程を行う。
これにより、ＳＴＥＰ２２に示すような状態となる。
【００３３】
次に、図６のＳＴＥＰ２３において、最上階（８階）の梁床部材４０の下方に定着部１３３を取付ける。そして、６階の本設の吊柱５０を構築するとともに、７階の仮設の吊柱１２０を撤去する。
次に、ＳＴＥＰ２４において、梁床部材昇降装置１３０により、最上階（８階）の梁床部材が８階のレベルに到達するまで、上昇させる。
【００３４】
次に、図７のＳＴＥＰ２５において、７階と８階の梁床部材４０の間に仮設の支持部材１５０を設置する。また、８階の梁床部材４０と垂直部材２０とを連結部材６０により接続する。そして、８階の本設の吊柱５０を構築する。
次に、ＳＴＥＰ２６において、梁床部材昇降装置１３０を解体し、撤去する。
次に、ＳＴＥＰ２７において、７階の本設の吊柱５０を構築し、７階の仮設の支持部材１５０を撤去する。
以上の工程により吊構造建物１００を構築することができる。
【００３５】
以上説明したように、本実施形態の吊構造建物の構築方法によれば、梁床部材昇降装置１３０により作業対象階の直上の階の梁床部材４０の高さ及び本設の吊柱５０の長さを適宜調整することにより、リフトアップ作業中であっても、全ての階の梁床部材４０を地上に降ろすことなく、階高の微調整や梁床部材４０の傾きを調整することができる。
【００３６】
なお、上記実施形態では、梁床部材昇降装置１３０のロッド１３２を本設の吊柱５０内を挿通するように設ける構成としたが、これに限らず、梁床部材４０の吊柱５０以外の位置に鉛直方法に並ぶように貫通孔を設けておき、この貫通孔を挿通するようにロッド１３２を設け、吊柱５０以外の位置に梁床部材昇降装置１３０を設置してもよい。
【００３７】
また、上記実施形態では、梁床部材昇降装置１３０のロッド１３２を作業対象階の直上の階の梁床部材４０に定着させる構成としたが、これに限らず、作業対象階よりも上の階であれば、何れの階の梁床部材４０に定着させてもよい。
【００３８】
以下、このように吊柱５０以外の位置に梁床部材昇降装置１３０を設置し、ロッド１３２を８階の梁床部材４０に定着させる場合の吊構造建物の構築方法について、図８及び図９を参照しながら説明する。なお、このように、吊柱５０以外の位置に梁床部材昇降装置１３０を設置する場合には、本設の吊柱５０及び仮設の吊柱１２０は内部にロッド１３２を挿通可能な構成としなくてもよい。
【００３９】
まず、上記実施形態と同様にメガフレーム３０を構築する。なお、メガフレーム３０を構築する工程は、図３におけるＳＴＥＰ１〜４と同じ工程であるので、説明を省略する。
【００４０】
メガフレーム３０を構築した後、図８に示すように、ＳＴＥＰ５´において、梁床部材４０を構築し、これらの梁床部材４０を仮設の吊柱１２０で連結する。この際、梁床部材昇降装置１３０のロッド１３２を挿通するため、梁床部材４０の仮設の吊柱１２０と異なる位置に鉛直方向に直線上に並ぶように貫通孔を設けておく。そして、この貫通孔にロッド１３２を２〜８階の梁床部材４０の貫通孔に挿通させ、ロッド１３２の上端部に水平部材１０に支持されるようにジャッキ１３１を取り付け、ロッド１３２の下端部を定着部１３３により８階の梁床部材４０を下方から支持するように取付け、梁床部材昇降装置１３０を組み立てる。
【００４１】
次に、ＳＴＥＰ６´において、梁床部材昇降装置１３０により、２〜８階の梁床部材４０を、２階の梁床部材４０が所定の高さに到達するまで上昇させる。
次に、ＳＴＥＰ７´において、地上部のベント１４０により２階の梁床部材４０を下方より支持することができるように、ベント１４０の高さを調整する。そして、２階の梁床部材４０と垂直部材２０とを連結部材６０により接続する。
【００４２】
次に、ＳＴＥＰ８´において、２階の仮設の吊柱１２０を撤去する。
次に、ＳＴＥＰ９´において、梁床部材昇降装置１３０により、３〜８階の梁床部材４０を、３階の梁床部材４０が３階のレベルに到達する（すなわち、２階の階高が所定の高さになる）まで上昇させる。
【００４３】
次に、ＳＴＥＰ１０´において、２階の本設の吊柱５０を構築するとともに、３階の梁床部材４０と垂直部材２０とを連結部材６０により接続する。
次に、図９のＳＴＥＰ１１´において、３階の仮設の吊柱１２０を撤去する。
【００４４】
次に、ＳＴＥＰ１２´において、４〜８階の梁床部材４０を、４階の梁床部材４０が４階のレベルに到達する（すなわち、３階の階高が所定の高さになる）まで上昇させる。
次に、ＳＴＥＰ１３´において、２階の本設の吊柱５０を構築するとともに、４階の連結部材６０を設置する。
【００４５】
以下、ＳＴＥＰ１１´〜１３´のように、４〜７階についても、作業対象階として、作業対象階の仮設の吊柱１２０を撤去し、作業対象階の上階から最上階までの梁床部材４０を上昇させ、作業対象階の本設の吊柱１２０を構築するとともに、作業対象階の上階の梁床部材４０を連結部材６０により垂直部材２０に接続する作業を行う。これにより、ＳＴＥＰ１５´に示すような状態となる。
【００４６】
次に、ＳＴＥＰ１６´において、８階の本設の吊柱５０を構築する。
次に、ＳＴＥＰ１７´において、梁床部材昇降装置１３０を撤去する。以上の工程により、吊構造建物１００を構築することができる。
【００４７】
以上説明したように、梁床部材昇降装置１３０を仮設の吊柱１２０と異なる位置に取付けることにより、仮設の支持部材１５０を取付ける工程及び仮設の支持部材１５０を取り外す工程を省略することができる。また、梁床部材昇降装置１３０を最上階の梁床部材４０に定着させる構成とすることで、定着部１３３を盛替える作業が不要となる。
【００４８】
なお、上記各実施形態では、下階から上階の順序でリフトアップする構成としたが、これに限らず、上階から下階の順序でリフトアップする構成としてもよく、また、中間の階からリフトアップしてもよく、要するにどのような順序でリフトアップしてもかまわない。
【００４９】
また、上記の各実施形態では、梁床部材昇降装置１３０を、ロッド１３２の下端部を定着部１３３により作業対象階の上階の梁床部材４０に定着し、ロッド１３２の上端部にジャッキ１３１を水平部材１０上に反力を取ることができるように設置する構成としたが、これに限らず、ロッド１３２の上部を定着部１３３により水平部材１０に定着させ、ジャッキ１３１をロッド１３２の作業対象階の上階の梁床部材４０を下方から支持するように設置する構成としてもよい。
【００５０】
また、上記各実施形態では、梁床部材４０と垂直部材２０の間に連結部材６０が介装された構成の吊構造建物１００を構築する場合についえて説明したが、これに限らず、連結部材６０を省略することも可能であり、この場合には、連結部材６０を取付ける工程が不要となる。
【００５１】
また、上記各実施形態では、各階の梁と床が一体となった梁床部材４０が吊持された吊構造建物１００を構築する場合について説明したが、これに限らず、梁と床が別体であり梁部材のみが吊持された吊構造建物に対しても本発明を適用することができる。
【００５２】
また、上記各実施形態では、２階の梁床部材４０を、地上と２階の梁床部材４０との間に１階の階高に合わせたベント１４０を介装させることにより支持する構成としたが、これに限らず、地上と２階の梁床部材４０との間に１階の階高に合わせた仮設の支持部材を設置する方法や、ロッドや鋼線などの吊り材の上端を水平部材１０に定着させるとともに下端を２階の梁床部材４０を下方より支持するように定着させ、吊り材により２階の梁床部材４０を吊持する方法により支持する構成としてもよく、要するに、階高調整階及びそれよりも下階の梁床部材４０を支持することができれば、どのような構成であってもよい。
また、上記各実施形態では、吊柱５０により吊持された全ての階の梁床部材４０を本発明の方法により構築する場合について説明したが、これに限らず、一部の階のみを本発明の方法により構築することも可能である。
【図面の簡単な説明】
【００５３】
【図１】本実施形態の吊構造建物の構成を示す正面図である。
【図２】吊柱を構成する部材を示す斜視図である。
【図３】本実施形態の吊構造の建物の構築方法を説明するための図（その１）である。
【図４】本実施形態の吊構造の建物の構築方法を説明するための図（その２）である。
【図５】本実施形態の吊構造の建物の構築方法を説明するための図（その３）である。
【図６】本実施形態の吊構造の建物の構築方法を説明するための図（その４）である。
【図７】本実施形態の吊構造の建物の構築方法を説明するための図（その５）である。
【図８】吊柱以外の位置に梁床部材昇降装置を設置した場合の別の実施形態の吊構造建物の構築方法を説明するための図（その１）である。
【図９】吊柱以外の位置に梁床部材昇降装置を設置した場合の別の実施形態の吊構造建物の構築方法を説明するための図（その１）である。
【符号の説明】
【００５４】
１０  水平部材
２０  垂直部材
３０  メガフレーム
４０  梁床部材
５０  （本設の）吊柱
６０  連結部材
１００  吊構造建物
１１０  水平部材昇降装置
１１１  ジャッキ
１１２  ロッド
１１３  定着部
１３０  梁床部材昇降装置
１３１  ジャッキ
１３２  ロッド
１３３  定着部
１５０  仮設の支持部材
１５２  分割された鋼管
【図２】
2008280680.tif 000003
【図１】
2008280680.tif 000004
【図３】
2008280680.tif 000005
【図４】
2008280680.tif 000006
【図５】
2008280680.tif 000007
【図６】
2008280680.tif 000008
【図７】
2008280680.tif 000009
【図８】
2008280680.tif 000010
【図９】
2008280680.tif 000011